(57)【要約】【課題】絵画風画像が作成されるまでの手順を色アイコンまたは筆アイコンを表示しながら教授してくれることを可能にする。【解決手段】下描き、色付けを経て絵画風画像が作成されるまでの過程を表示するにあたり、（ａ）に示すように、最初に、撮影画像の輪郭を抽出することにより得られた鉛筆風画線Ｌからなる下図Ｚ２を液晶モニタに表示させ、下描きの工程を表示する。次に、（ｂ）に示すように、撮影画像Ｚ１の色を分析することにより得られた「赤色」「青色」「黄色」「茶色」の４色の色アイコン４１〜４４を表示させた上で、カーソル４５により、例えば「青色」アイコン４２が選択されると、選択された青色アイコンの青色が使われている領域のみを、選択された青色で着色して液晶モニタ４に表示させ、色付けの工程を表示する。以下同様に、選択された色での色付け表示を行っていき、絵画風画像が作成されるまでの過程を表示する。【選択図】図７
2011198050.tif 000002
【特許請求の範囲】
【請求項１】
撮影画像と当該撮影画像に基づいて変換処理された絵画風画像とを表示部に表示させる撮影画像変換処理装置において、
前記絵画風画像および前記撮影画像のうちの少なくとも一方の画像から、当該画像に含まれている複数の被写体画像の輪郭を抽出して、当該輪郭に基づいて下描き処理を行う下描き処理手段と、
この下描き処理手段により下描き処理された下描き画像を表示させる下描き表示制御手段と、
この下描き表示制御手段の制御により下描きが表示された後に、前記少なくとも一方の画像に用いられている各色を示す色アイコンを一覧表示させる色アイコン表示制御手段と、
この色アイコン表示制御手段の制御により表示された色アイコンを選択するために操作される選択操作手段と、
この選択操作手段により色アイコンが選択される都度、前記表示中の下描き上に前記選択された色による色づけ処理を施して行き、この色づけ処理の後に、前記絵画風画像を表示させる絵画風画像表示制御手段と、
を備えていることを特徴とする撮影画像変換処理装置。
【請求項２】
前記色アイコン表示制御手段は、前記選択操作手段の操作によりいずれかの色アイコンが選択された場合、当該選択済みとなった色アイコンを消去して、未選択の色アイコンのみを表示させることを特徴とする請求項１記載の撮影画像変換処理装置。
【請求項３】
撮影画像と当該撮影画像に基づいて変換処理された絵画風画像とを表示部に表示させる撮影画像変換処理装置において、
前記絵画風画像および前記撮影画像のうちの少なくとも一方の画像から下描き処理を行い、この下描き処理された下描きを表示させる下描き表示制御手段と、
この下描き表示制御手段の制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御手段と、
を備えていることを特徴とする撮影画像変換処理装置。
【請求項４】
撮影画像と当該撮影画像から変換された絵画風画像とを表示させる撮影画像変換処理装置において、
撮影画像と絵画風画像とのうちの少なくとも一方の画像に基づいて、下描き処理を行い、この下描き処理された下描きを表示させる下描き表示制御手段と、
この下描き表示制御手段の制御により表示されている下描き上に色づけ処理を順次施して行き、この色づけ処理の後に、前記絵画風画像を表示させる絵画風画像表示制御手段と、
を備えていることを特徴とする撮影画像変換処理装置。
【請求項５】
前記絵画風画像表示制御手段は、手動操作に応答して、前記下描き上に色づけ処理を順次施すことを特徴とする請求項３又は４記載の撮影画像変換処理装置。
【請求項６】
前記絵画風画像表示制御手段は、自動的に、前記下描き上に色づけ処理を順次施すことを特徴とする請求項３又は４記載の撮影画像変換処理装置。
【請求項７】
撮影画像を絵画風画像に変換処理する装置において、
前記撮影画像の輪郭を抽出して、当該輪郭に基づいて下描き処理を行う手段と、
前記撮影画像に用いられている色と筆タッチとを分析し、当該分析した色と筆タッチとの種類を一覧表示させる手段と、
この一覧表示された複数種類の色の中の一色と複数種類の中の一筆タッチとを選択するために操作される選択操作手段と、
この選択された色と筆タッチとに基づいて、前記下描き処理された下描き上に色づけと筆タッチの各処理を行い、前記撮影画像を前記絵画風画像に変換処理する手段と、
を備えていることを特徴とする撮影画像変換処理装置。
【請求項８】
撮影画像と当該撮影画像に基づいて変換処理された絵画風画像とを表示部に表示させる撮影画像変換処理装置が有するコンピュータを、
前記絵画風画像および前記撮影画像のうちの少なくとも一方の画像から、当該画像に含まれている複数の被写体画像の輪郭を抽出して、当該輪郭に基づいて下描き処理を行う下描き処理手段と、
この下描き処理手段により下描き処理された下描き画像を表示させる下描き表示制御手段と、
この下描き表示制御手段の制御により下描きが表示された後に、前記少なくとも一方の画像に用いられている各色を示す色アイコンを一覧表示させる色アイコン表示制御手段と、
この色アイコン表示制御手段の制御により表示された色アイコンを選択するために操作される選択操作手段と、
この選択操作手段により色アイコンが選択される都度、前記表示中の下描き上に前記選択された色による色づけ処理を施して行き、この色づけ処理の後に、前記絵画風画像を表示させる絵画風画像表示制御手段と、
して機能させることを特徴とする撮影画像変換処理プログラム。
【請求項９】
撮影画像と当該撮影画像に基づいて変換処理された絵画風画像とを表示部に表示させる撮影画像変換処理装置が有するコンピュータを、
前記絵画風画像および前記撮影画像のうちの少なくとも一方の画像から下描き処理を行い、この下描き処理された下描きを表示させる下描き表示制御手段と、
この下描き表示制御手段の制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御手段と、
して機能させることを特徴とする撮影画像変換処理プログラム。
【請求項１０】
撮影画像と当該撮影画像から変換された絵画風画像とを表示させる撮影画像変換処理装置が有するコンピュータを、
撮影画像と絵画風画像とのうちの少なくとも一方の画像に基づいて、下描き処理を行い、この下描き処理された下描きを表示させる下描き表示制御手段と、
この下描き表示制御手段の制御により表示されている下描き上に色づけ処理を順次施して行き、この色づけ処理の後に、前記絵画風画像を表示させる絵画風画像表示制御手段と、
して機能させることを特徴とする撮影画像変換処理プログラム。
【請求項１１】
撮影画像を絵画風画像に変換処理する装置が有するコンピュータを、
前記撮影画像の輪郭を抽出して、当該輪郭に基づいて下描き処理を行う手段と、
前記撮影画像に用いられている色と筆タッチとを分析し、当該分析した色と筆タッチとの種類を一覧表示させる手段と、
この一覧表示された複数種類の色の中の一色と複数種類の中の一筆タッチとを選択するために操作される選択操作手段と、
この選択された色と筆タッチとに基づいて、前記下描き処理された下描き上に色づけと筆タッチの各処理を行い、前記撮影画像を前記絵画風画像に変換処理する手段と、
して機能させることを特徴とする撮影画像変換処理プログラム。
【請求項１２】
撮影画像と当該撮影画像に基づいて変換処理された絵画風画像とを表示部に表示させる撮影画像変換処理方法であって、
前記絵画風画像および前記撮影画像のうちの少なくとも一方の画像から、当該画像に含まれている複数の被写体画像の輪郭を抽出して、当該輪郭に基づいて下描き処理を行う下描き処理ステップと、
この下描き処理ステップにより下描き処理された下描き画像を表示させる下描き表示制御ステップと、
この下描き表示制御ステップでの制御により下描きが表示された後に、前記少なくとも一方の画像に用いられている各色を示す色アイコンを一覧表示させる色アイコン表示制御ステップと、
この色アイコン表示制御ステップでの制御により表示された色アイコンを選択するために操作される選択操作ステップと、
この選択操作ステップにより色アイコンが選択される都度、前記表示中の下描き上に前記選択された色による色づけ処理を施して行き、この色づけ処理の後に、前記絵画風画像を表示させる絵画風画像表示制御ステップと、
を含むことを特徴とする撮影画像変換処理方法。
【請求項１３】
撮影画像と当該撮影画像に基づいて変換処理された絵画風画像とを表示部に表示させる撮影画像変換処理方法であって、
前記絵画風画像および前記撮影画像のうちの少なくとも一方の画像から下描き処理を行い、この下描き処理された下描きを表示させる下描き表示制御ステップと、
この下描き表示制御ステップの制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御ステップと、
を含むことを特徴とする撮影画像変換処理方法。
【請求項１４】
撮影画像と当該撮影画像から変換された絵画風画像とを表示させる撮影画像変換処理方法であって、
撮影画像と絵画風画像とのうちの少なくとも一方の画像に基づいて、下描き処理を行い、この下描き処理された下描きを表示させる下描き表示制御ステップと、
この下描き表示制御ステップでの制御により表示されている下描き上に色づけ処理を順次施して行き、この色づけ処理の後に、前記絵画風画像を表示させる絵画風画像表示制御ステップと、
を含むことを特徴とする撮影画像変換処理方法。
【請求項１５】
撮影画像を絵画風画像に変換処理する方法において、
前記撮影画像の輪郭を抽出して、当該輪郭に基づいて下描き処理を行うステップと、
前記撮影画像に用いられている色と筆タッチとを分析し、当該分析した色と筆タッチとの種類を一覧表示させるステップと、
この一覧表示された複数種類の色の中の一色と複数種類の中の一筆タッチとを選択するために操作される選択操作ステップと、
この選択された色と筆タッチとに基づいて、前記下描き処理された下描き上に色づけと筆タッチの各処理を行い、前記撮影画像を前記絵画風画像に変換処理するステップと、
を含むことを特徴とする撮影画像変換処理方法。
【発明の詳細な説明】
【技術分野】
【０００１】
本発明は、撮影された画像を絵画風の画像に変換する撮影画像変換処理装置、撮影画像変換処理プログラム及び撮影画像変換処理方法に関するものである。
【背景技術】
【０００２】
従来、撮影された画像に基づき、画家の描いた絵画に見られる特徴を擬似的に再現した絵画風画像を作成する変換技術が提案されるに至っている（例えば下記特許文献１参照）。したがって、デジタルカメラで撮影した画像を、前記変換技術を用いて絵画風画像に変換することが可能である。
【先行技術文献】
【特許文献】
【０００３】
【特許文献１】特開２００４−２１３５９８号公報
【発明の概要】
【発明が解決しようとする課題】
【０００４】
ところで、絵画は、鉛筆による下描きから始まって、筆による色づけ、配色など、様々な過程を経て、一つのまとまった絵画が創作される。しかしながら、前記変換技術にあっては、装置の内部において、撮影画像から特定の画家の描いた絵画に見られる特徴で絵画風画像に変換する。したがって、前記変換技術によっては、絵画が描かれる手順を教授されるものではない。絵画を描く手順を教授してくれる技術の出現が要請されていた。
【０００５】
この発明は、このような要請に鑑みてなされたものであり、絵画を描く手順を教授してくれる撮影画像変換処理装置、撮影画像変換処理プログラム及び撮影画像変換処理方法を提供することを目的とする。
【課題を解決するための手段】
【０００６】
前記課題を解決するため、請求項１記載の発明に係る撮影画像変換処理装置にあっては、撮影画像と当該撮影画像に基づいて変換処理された絵画風画像とを表示部に表示させる撮影画像変換処理装置において、前記絵画風画像および前記撮影画像のうちの少なくとも一方の画像から、当該画像に含まれている複数の被写体画像の輪郭を抽出して、当該輪郭に基づいて下描き処理を行う下描き処理手段と、この下描き処理手段により下描き処理された下描き画像を表示させる下描き表示制御手段と、この下描き表示制御手段の制御により下描きが表示された後に、前記少なくとも一方の画像に用いられている各色を示す色アイコンを一覧表示させる色アイコン表示制御手段と、この色アイコン表示制御手段の制御により表示された色アイコンを選択するために操作される選択操作手段と、この選択操作手段により色アイコンが選択される都度、前記表示中の下描き上に前記選択された色による色づけ処理を施して行き、この色づけ処理の後に、前記絵画風画像を表示させる絵画風画像表示制御手段と、を備えていることを特徴とする。
【０００７】
また、請求項２記載の発明に係る撮影画像変換処理装置にあっては、前記色アイコン表示制御手段は、前記選択操作手段の操作によりいずれかの色アイコンが選択された場合、当該選択済みとなった色アイコンを消去して、未選択の色アイコンのみを表示させることを特徴とする。
【０００８】
また、請求項３記載の発明に係る撮影画像変換処理装置にあっては、撮影画像と当該撮影画像に基づいて変換処理された絵画風画像とを表示部に表示させる撮影画像変換処理装置において、前記絵画風画像および前記撮影画像のうちの少なくとも一方の画像から下描き処理を行い、この下描き処理された下描きを表示させる下描き表示制御手段と、この下描き表示制御手段の制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御手段と、を備えていることを特徴とする。
【０００９】
また、請求項４記載の発明に係る撮影画像変換処理装置にあっては、撮影画像と当該撮影画像から変換された絵画風画像とを表示させる撮影画像変換処理装置において、撮影画像と絵画風画像とのうちの少なくとも一方の画像に基づいて、下描き処理を行い、この下描き処理された下描きを表示させる下描き表示制御手段と、この下描き表示制御手段の制御により表示されている下描き上に色づけ処理を順次施して行き、この色づけ処理の後に、前記絵画風画像を表示させる絵画風画像表示制御手段と、を備えていることを特徴とする。
【００１０】
また、請求項５記載の発明に係る撮影画像変換処理装置にあっては、前記絵画風画像表示制御手段は、手動操作に応答して、前記下描き上に色づけ処理を順次施すことを特徴とする。
【００１１】
また、請求項６記載の発明に係る撮影画像変換処理装置にあっては、前記絵画風画像表示制御手段は、自動的に、前記下描き上に色づけ処理を順次施すことを特徴とする。
【００１２】
また、請求項７記載の発明に係る撮影画像変換処理装置にあっては、撮影画像を絵画風画像に変換処理する装置において、前記撮影画像の輪郭を抽出して、当該輪郭に基づいて下描き処理を行う手段と、前記撮影画像に用いられている色と筆タッチとを分析し、当該分析した色と筆タッチとの種類を一覧表示させる手段と、この一覧表示された複数種類の色の中の一色と複数種類の中の一筆タッチとを選択するために操作される選択操作手段と、この選択された色と筆タッチとに基づいて、前記下描き処理された下描き上に色づけと筆タッチの各処理を行い、前記撮影画像を前記絵画風画像に変換処理する手段と、を備えていることを特徴とする。
【００１３】
また、請求項８記載の発明に係る撮影画像変換処理プログラムにあっては、撮影画像と当該撮影画像に基づいて変換処理された絵画風画像とを表示部に表示させる撮影画像変換処理装置が有するコンピュータを、前記絵画風画像および前記撮影画像のうちの少なくとも一方の画像から、当該画像に含まれている複数の被写体画像の輪郭を抽出して、当該輪郭に基づいて下描き処理を行う下描き処理手段と、この下描き処理手段により下描き処理された下描き画像を表示させる下描き表示制御手段と、この下描き表示制御手段の制御により下描きが表示された後に、前記少なくとも一方の画像に用いられている各色を示す色アイコンを一覧表示させる色アイコン表示制御手段と、この色アイコン表示制御手段の制御により表示された色アイコンを選択するために操作される選択操作手段と、この選択操作手段により色アイコンが選択される都度、前記表示中の下描き上に前記選択された色による色づけ処理を施して行き、この色づけ処理の後に、前記絵画風画像を表示させる絵画風画像表示制御手段と、して機能させることを特徴とする。
【００１４】
また、請求項９記載の発明に係る撮影画像変換処理プログラムにあっては、撮影画像と当該撮影画像に基づいて変換処理された絵画風画像とを表示部に表示させる撮影画像変換処理装置が有するコンピュータを、前記絵画風画像および前記撮影画像のうちの少なくとも一方の画像から下描き処理を行い、この下描き処理された下描きを表示させる下描き表示制御手段と、この下描き表示制御手段の制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御手段と、して機能させることを特徴とする。
【００１５】
また、請求項１０記載の発明に係る撮影画像変換処理プログラムにあっては、撮影画像と当該撮影画像から変換された絵画風画像とを表示させる撮影画像変換処理装置が有するコンピュータを、撮影画像と絵画風画像とのうちの少なくとも一方の画像に基づいて、下描き処理を行い、この下描き処理された下描きを表示させる下描き表示制御手段と、この下描き表示制御手段の制御により表示されている下描き上に色づけ処理を順次施して行き、この色づけ処理の後に、前記絵画風画像を表示させる絵画風画像表示制御手段と、して機能させることを特徴とする。
【００１６】
また、請求項１１記載の発明に係る撮影画像変換処理プログラムにあっては、撮影画像を絵画風画像に変換処理する装置が有するコンピュータを、前記撮影画像の輪郭を抽出して、当該輪郭に基づいて下描き処理を行う手段と、前記撮影画像に用いられている色と筆タッチとを分析し、当該分析した色と筆タッチとの種類を一覧表示させる手段と、この一覧表示された複数種類の色の中の一色と複数種類の中の一筆タッチとを選択するために操作される選択操作手段と、この選択された色と筆タッチとに基づいて、前記下描き処理された下描き上に色づけと筆タッチの各処理を行い、前記撮影画像を前記絵画風画像に変換処理する手段と、して機能させることを特徴とする。
【００１７】
また、請求項１２記載の発明に係る撮影画像変換処理方法にあっては、撮影画像と当該撮影画像に基づいて変換処理された絵画風画像とを表示部に表示させる撮影画像変換処理方法であって、前記絵画風画像および前記撮影画像のうちの少なくとも一方の画像から、当該画像に含まれている複数の被写体画像の輪郭を抽出して、当該輪郭に基づいて下描き処理を行う下描き処理ステップと、この下描き処理ステップにより下描き処理された下描き画像を表示させる下描き表示制御ステップと、この下描き表示制御ステップでの制御により下描きが表示された後に、前記少なくとも一方の画像に用いられている各色を示す色アイコンを一覧表示させる色アイコン表示制御ステップと、この色アイコン表示制御ステップでの制御により表示された色アイコンを選択するために操作される選択操作ステップと、この選択操作ステップにより色アイコンが選択される都度、前記表示中の下描き上に前記選択された色による色づけ処理を施して行き、この色づけ処理の後に、前記絵画風画像を表示させる絵画風画像表示制御ステップと、を含むことを特徴とする。
【００１８】
また、請求項１３記載の発明に係る撮影画像変換処理方法にあっては、撮影画像と当該撮影画像に基づいて変換処理された絵画風画像とを表示部に表示させる撮影画像変換処理方法であって、前記絵画風画像および前記撮影画像のうちの少なくとも一方の画像から下描き処理を行い、この下描き処理された下描きを表示させる下描き表示制御ステップと、この下描き表示制御ステップの制御により下描きが表示された後に、前記少なくとも一方の画像に基づいて、前記表示中の下描き上に色づけ処理を順次施して行き、この色づけ処理の後に、前記絵画風画像を表示させる絵画風画像表示制御ステップと、を含むことを特徴とする。
【００１９】
また、請求項１４記載の発明に係る撮影画像変換処理方法にあっては、撮影画像と当該撮影画像から変換された絵画風画像とを表示させる撮影画像変換処理方法であって、撮影画像と絵画風画像とのうちの少なくとも一方の画像に基づいて、下描き処理を行い、この下描き処理された下描きを表示させる下描き表示制御ステップと、この下描き表示制御ステップでの制御により表示されている下描き上に色づけ処理を順次施して行き、この色づけ処理の後に、前記絵画風画像を表示させる絵画風画像表示制御ステップと、を含むことを特徴とする。
【００２０】
また、請求項１５記載の発明に係る撮影画像変換処理方法にあっては、撮影画像を絵画風画像に変換処理する方法において、前記撮影画像の輪郭を抽出して、当該輪郭に基づいて下描き処理を行うステップと、前記撮影画像に用いられている色と筆タッチとを分析し、当該分析した色と筆タッチとの種類を一覧表示させるステップと、この一覧表示された複数種類の色の中の一色と複数種類の中の一筆タッチとを選択するために操作される選択操作ステップと、この選択された色と筆タッチとに基づいて、前記下描き処理された下描き上に色づけと筆タッチの各処理を行い、前記撮影画像を前記絵画風画像に変換処理するステップと、を含むことを特徴とする。
請求項１記載の発明に係る撮影画像変換処理装置にあっては、撮影画像を絵画風画像に変換処理する絵画風画像変換処理手段と、この絵画風画像変換処理手段により変換処理された絵画風画像および前記撮影画像のうちの少なくとも一方の画像から、当該画像に含まれている複数の被写体画像の輪郭を抽出して、当該輪郭に基づいて下描き処理を行う下描き処理手段と、この下描き処理手段により下描き処理された下描きを表示させる下描き表示制御手段と、前記少なくとも一方の画像に用いられている各色を示す色アイコンを一覧表示させる色アイコン表示制御手段と、この色アイコン表示制御手段の制御により表示された色アイコンを選択するために操作される選択操作手段と、この選択操作手段により色アイコンが選択される都度、前記表示中の下描き上に色づけ処理を施して、前記絵画風画像を表示させる絵画風画像表示制御手段と、を備えていることを特徴とする。
【００２１】
また、請求項２記載の発明に係る撮影画像変換処理装置にあっては、前記色アイコン表示制御手段は、前記選択操作手段の操作によりいずれかの色アイコンが選択された場合、当該選択済みとなった色アイコンを消去して、未選択の色アイコンのみを表示させることを特徴とする。
【００２２】
また、請求項３記載の発明に係る撮影画像変換処理装置にあっては、撮影画像を絵画風画像に変換処理する絵画風画像変換処理手段と、この絵画風画像変換処理手段により変換処理された絵画風画像および前記撮影画像のうちの少なくとも一方の画像から下描き処理を行い、この下描き処理された下描きを表示させる下描き表示制御手段と、前記少なくとも一方の画像に基づいて、前記表示中の下描き上に色づけ処理を順次施こして行き、前記絵画風画像を表示させる絵画風画像表示制御手段と、を備えていることを特徴とする。
【００２３】
また、請求項４記載の発明に係る撮影画像変換処理装置にあっては、撮影画像と当該撮影画像から変換された絵画風画像とを表示させる撮影画像変換処理装置において、撮影画像と絵画風画像とのうちの少なくとも一方の画像に基づいて、下描き処理を行い、この下描き処理された下描きを表示させる下描き表示制御手段と、この下描き表示制御手段の制御により表示されている下描き上に色づけ処理を順次施して行き、前記絵画風画像を表示させる絵画風画像表示制御手段と、を備えていることを特徴とする。
【００２４】
また、請求項５記載の発明に係る撮影画像変換処理装置にあっては、前記絵画風画像表示制御手段は、操作に応答して、前記下描き上に色づけ処理を順次施すことを特徴とする。
【００２５】
また、請求項６記載の発明に係る撮影画像変換処理装置にあっては、前記絵画風画像表示制御手段は、自動的に、前記下描き上に色づけ処理を順次施すことを特徴とする。
【００２６】
また、請求項７記載の発明に係る撮影画像変換処理装置にあっては、撮影画像を絵画風画像に変換処理する装置において、前記撮影画像の輪郭を抽出して、当該輪郭に基づいて下描き処理を行う手段と、前記撮影画像に用いられている色と筆タッチとを分析し、当該分析した複数の色と筆とを一覧表示させる手段と、この一覧表示された複数の色の中から色と筆タッチとを選択するために操作される選択操作手段と、この選択された各色と筆タッチとに基づいて前記下描き処理された下描き上に色づけ処理を行い、前記撮影画像を前記絵画風画像に変換処理する手段と、を備えていることを特徴とする。
【００２７】
また、請求項８記載の発明に係る撮影画像変換処理プログラムにあっては、当該機器が有するコンピュータを、撮影画像を絵画風画像に変換処理する絵画風画像変換処理手段と、この絵画風画像変換処理手段により変換処理された絵画風画像および前記撮影画像のうちの少なくとも一方の画像から、当該画像に含まれている複数の被写体画像の輪郭を抽出して、当該輪郭に基づいて下描き処理を行う下描き処理手段と、この下描き処理手段により下描き処理された下描きを表示させる下描き表示制御手段と、前記少なくとも一方の画像に用いられている各色を示す色アイコンを一覧表示させる色アイコン表示制御手段と、この色アイコン表示制御手段の制御により表示された色アイコンを選択するために操作される選択操作手段と、この選択操作手段により色アイコンが選択される都度、前記表示中の下描き上に色づけ処理を施して、前記絵画風画像を表示させる絵画風画像表示制御手段と、して機能させることを特徴とする。
【００２８】
また、請求項９記載の発明に係る撮影画像変換処理プログラムにあっては、当該機器が有するコンピュータを、撮影画像を絵画風画像に変換処理する絵画風画像変換処理手段と、この絵画風画像変換処理手段により変換処理された絵画風画像および前記撮影画像のうちの少なくとも一方の画像から下描き処理を行い、この下描き処理された下描きを表示させる下描き表示制御手段と、前記少なくとも一方の画像に基づいて、前記表示中の下描き上に色づけ処理を順次施こして行き、前記絵画風画像を表示させる絵画風画像表示制御手段と、して機能させることを特徴とする。
【００２９】
また、請求項１０記載の発明に係る撮影画像変換処理プログラムにあっては、撮影画像と当該撮影画像から変換された絵画風画像とを表示させる撮影画像変換処理装置が有するコンピュータを、撮影画像と絵画風画像とのうちの少なくとも一方の画像に基づいて、下描き処理を行い、この下描き処理された下描きを表示させる下描き表示制御手段と、この下描き表示制御手段の制御により表示されている下描き上に色づけ処理を順次施こして行き、前記絵画風画像を表示させる絵画風画像表示制御手段と、して機能させることを特徴とする。
【００３０】
また、請求項１１記載の発明に係る撮影画像変換処理プログラムにあっては、撮影画像を絵画風画像に変換処理する装置が有するコンピュータを、前記撮影画像の輪郭を抽出して、当該輪郭に基づいて下描き処理を行う手段と、前記撮影画像に用いられている色と筆タッチとを分析し、当該分析した複数の色と筆とを一覧表示させる手段と、この一覧表示された複数の色の中から色と筆タッチとを選択するために操作される選択操作手段と、この選択された各色と筆タッチとに基づいて前記下描き処理された下描き上に色づけ処理を行い、前記撮影画像を前記絵画風画像に変換処理する手段と、して機能させることを特徴とする。
【００３１】
また、請求項１２記載の発明に係る撮影画像変換処理方法にあっては、撮影画像を絵画風画像に変換処理する絵画風画像変換処理ステップと、この絵画風画像変換処理手段により変換処理された絵画風画像および前記撮影画像のうちの少なくとも一方の画像から、当該画像に含まれている複数の被写体画像の輪郭を抽出して、当該輪郭に基づいて下描き処理を行う下描き処理ステップと、この下描き処理ステップにより下描き処理された下描きを表示させる下描き表示制御ステップと、前記少なくとも一方の画像に用いられている各色を示す色アイコンを一覧表示させる色アイコン表示制御ステップと、この色アイコン表示制御ステップでの制御により表示された色アイコンを選択するために操作される選択操作ステップと、この選択操作ステップにより色アイコンが選択される都度、前記表示中の下描き上に色づけ処理を施して、前記絵画風画像を表示させる絵画風画像表示制御ステップと、を含むことを特徴とする。
【００３２】
また、請求項１３記載の発明に係る撮影画像変換処理方法にあっては、撮影画像を絵画風画像に変換処理する絵画風画像変換処理ステップと、この絵画風画像変換処理ステップにより変換処理された絵画風画像および前記撮影画像のうちの少なくとも一方の画像から下描き処理を行い、この下描き処理された下描きを表示させる下描き表示制御ステップと、前記少なくとも一方の画像に基づいて、前記表示中の下描き上に色づけ処理を順次施こして行き、前記絵画風画像を表示させる絵画風画像表示制御ステップと、を含むことを特徴とする。
【００３３】
また、請求項１４記載の発明に係る撮影画像変換処理方法にあっては、撮影画像と当該撮影画像から変換された絵画風画像とを表示させる撮影画像変換処理方法において、撮影画像と絵画風画像とのうちの少なくとも一方の画像に基づいて、下描き処理を行い、この下描き処理された下描きを表示させる下描き表示制御ステップと、この下描き表示制御ステップでの制御により表示されている下描き上に色づけ処理を順次施こして行き、前記絵画風画像を表示させる絵画風画像表示制御ステップと、を含むことを特徴とする。
【００３４】
また、請求項１５記載の発明に係る撮影画像変換処理方法にあっては、撮影画像を絵画風画像に変換処理する方法において、前記撮影画像の輪郭を抽出して、当該輪郭に基づいて下描き処理を行うステップと、前記撮影画像に用いられている色と筆タッチとを分析し、当該分析した複数の色と筆とを一覧表示させるステップと、この一覧表示された複数の色の中から色と筆タッチとを選択するために操作される選択操作ステップと、この選択された各色と筆タッチとに基づいて前記下描き処理された下描き上に色づけ処理を行い、前記撮影画像を前記絵画風画像に変換処理するステップと、を含むことを特徴とする。
【発明の効果】
【００３５】
本発明によれば、下描き、色付けを経て絵画風画像が作成されるまでの各過程を分かりやすく教授することができる。
【００３６】
また、本発明によれば、実写された撮影画像に基づいて作成された絵画風画像が作成されるまでの各過程を教授してくれる。したがって、絵画風画像が作成される手順を実写された撮影画像と当該撮影画像に基づいて作成された絵画風画像とを用いて、両者を対比しながら学習することができる。
【図面の簡単な説明】
【００３７】
【図１】本発明の各実施の形態に共通するデジタルカメラの外観を示す背面図である。
【図２】同デジタルカメラの電気的構成の概略を示すブロック構成図である。
【図３】ＲＡＭのメモリ構成図である。
【図４】本発明の第１の実施の形態における処理手順を示すフローチャートである。
【図５】図４における絵画風変換表示処理の手順を示すフローチャートである。
【図６】（ａ）（ｂ）は撮影画像の選択前と選択後の表示画面例を示す遷移図である。
【図７】（ａ）（ｂ）は図６に続く表示画面例を示す遷移図である。
【図８】（ａ）（ｂ）は図７に続く表示画面例を示す遷移図である。
【図９】（ａ）（ｂ）は図８に続く表示画面例を示す遷移図である。
【図１０】本発明の第２の実施の形態における絵画風変換表示処理の手順を示すフローチャートである。
【図１１】本発明の第３の実施の形態における絵画風変換表示処理の手順を示すフローチャートである。
【図１２】（ａ）（ｂ）は同第３の実施形態における表示画面例を示す遷移図である。
【発明を実施するための形態】
【００３８】
以下、本発明の実施形態について説明する。図１は、本発明の各実施の形態に共通するデジタルカメラ１の外観を示す背面図である。
【００３９】
このデジタルカメラ１の背面には、メニューキー２、モードダイアル３、液晶モニタ４、カーソルキー５、ＳＥＴキー６等が設けられている。また、上面にはシャッターキー８、電源ボタン９が設けられている。なお、側部には図示されていないが、パーソナルコンピュータ（以下、パソコン）やモデム等の外部装置とＵＳＢケーブルに接続する場合に用いるＵＳＢ端子接続部が設けられ、正面側に後述する撮像レンズ１２が設けられている。
【００４０】
図２は、デジタルカメラ１の電気的構成の概略を示すブロック構成図である。
【００４１】
デジタルカメラ１は、撮像手段であるＣＣＤ１０を備えるとともに、ＣＣＤ１０により撮像した画像を圧縮・伸張し、所定フォーマット、例えば統一規格ＤＣＦ（Design rule for Camera File system）やＪＰＥＧ（Joint Photographic Expert Group）に合致するフォーマットの画像ファイルを生成・再生する画像処理機能を備えたＣＰＵ１１を中心に構成されている。
【００４２】
ＣＣＤ１０の受光面には、撮像レンズ１２、フォーカスレンズ１３、絞り１４を通過して被写体の光学像が結像される。フォーカスレンズ１３はＡＦモータ等からなる駆動機構１５に保持されており、ＣＰＵ１１からの制御信号によりＡＦドライバー１６が出力する駆動信号が駆動機構１５に供給されることにより光軸上を前後に移動する合焦動作を行う。絞り１４は、ＣＰＵ１１からの制御信号に基づき絞り駆動部１７が発生する駆動信号により駆動しＣＣＤ１０に入射する被写体像の光量を調整する。
【００４３】
また、ＣＰＵ１１には、タイミング信号を発生するＴＧ（Timing Generator）１８が接続されており、ＴＧ１８が発生したタイミング信号に基づきＶドライバー１９（垂直方向ドライバー）がＣＣＤ１０を駆動し、それに伴いＣＣＤ１０により被写体像の輝度に応じたアナログの撮像信号が出力されユニット回路２０へ送られる。
【００４４】
ユニット回路２０は、ＣＣＤ１０から出力された撮像信号を保持するＣＤＳと、ＣＤＳから撮像信号を供給されるアナログアンプであるゲイン調整アンプ（ＡＧＣ）と、ゲイン調整アンプで増幅され調整されたアナログの撮像信号をデジタル信号に変換するＡ／Ｄ変換器（ＡＤ）とからなり、ＣＣＤ１０の出力信号は、ここで黒レベルを合わせてサンプリングされデジタル信号としてＣＰＵ１１に送られる。ゲイン調整アンプ（ＡＧＣ）は、後述するＩＳＯ感度に応じた増幅率で、ＣＤＳから供給される撮像信号を増幅する。
【００４５】
ＣＰＵ１１には、シャッターキー８を含む前記キー群をからなる操作キー部２１、前記液晶モニタ４、ＲＡＭ２２、ＲＯＭ２３、フラッシュメモリ２４が接続されている。
【００４６】
ＲＡＭ２２は作業用のメモリであり、フラッシュメモリ２４は画像記録用のメモリである。ＣＣＤ１０からＣＰＵ１１に送られたデジタル信号（撮像信号）は、ＲＡＭ２２に一時保存されるとともに、ＣＰＵ１１によって各種の画像処理が施された後、最終的には圧縮された画像データとしてフラッシュメモリ２４に記録される。なお、フラッシュメモリ２４はカメラ本体に着脱自在なカード型のものであってもよい。
【００４７】
フラッシュメモリ２４に記録された画像データは、必要に応じてＣＰＵ１１に読み出され、伸長処理、輝度信号及び色信号の付加等の処理を経てデジタルビデオ信号やアナログビデオ信号に変換され、液晶モニタ４によって表示される。また液晶モニタ４には、記録モードにおいて周期的に撮像された画像がスルー画像として表示される。
【００４８】
ＲＯＭ２３は、ＣＰＵ１１における各部の制御及びデータ処理に必要な各種の動作プログラムが記録されたプログラムＲＯＭである。すなわち、ＲＯＭ２３には、前記プログラムとともに、撮影時の適正な露出値に対応するＩＳＯ感度とシャッタースピードとの組み合わせを示すプログラム線図等の各種データが格納されている。
【００４９】
ＣＰＵ１１は、前記プログラム線図に従い、シャッタースピードである前記ＣＣＤ１０の電荷蓄積時間や、前記絞り１４の開放度、前記ユニット回路２０のゲイン調整アンプ（ＡＧＣ）のゲインの制御によるＡＥ制御を行うとともに、所定のプログラムに従い前記フォーカスレンズ１３を駆動するＡＦ（オートフォーカス）制御、ＡＷＢ（オートホワイトバランス）制御を行う。また、フラッシュメモリ２４は、撮影された画像データ等が記録される。
【００５０】
また、ＲＯＭ２３には、フォーカス設定テーブルが格納されている。当該デジタルカメラ１から被写体までの距離である被写体距離を取得するに際しては、周知のコントラストＡＦ方式によりフォーカスレンズ１３のフォーカス制御を行う。そして、そのときの撮像レンズ１２のズーム比とフォーカスレンズ１３の位置とから、ＲＯＭ２３に予め記憶してあるフォーカス設定テーブルを使用して被写体距離を取得する。
【００５１】
ＲＡＭ２２内には、図３に示す絵画風変換データエリア２２１が設けられている。この絵画風変換データエリア２２１には、第１記憶部２２２、第２記憶部２２３、第３記憶部２２４、第４記憶部２２５及び第５記憶部２２６が設けられている。第２記憶部２２３は、被写体画像記憶部２２７と座標記憶部２２８とに区分されており、第４記憶部２２５は、色記憶部２２９と範囲記憶部２３０とが対応して設けられている。
【００５２】
第１記憶部２２２には、後述する絵画風画像変化モードで撮影された撮影画像が記憶される。第２記憶部２２３の被写体画像記憶部２２７には、撮影画像から抽出された被写体の画像である被写体画像が記憶され、座標記憶部２２８には、当該被写体画像の撮影画像中における位置を示す位置座標が記憶される。
【００５３】
第３記憶部２２４には、前記撮影画像の輪郭を示す線図でもあり、前記絵画風画像の下描きの線図である下描き画像が記憶される。
【００５４】
第４記憶部２２５の色記憶部２２９には、前記絵画風画像に用いられている色「赤」、「青」、「黄」・・・が記憶される。範囲記憶部２３０には、前記絵画風画像中において、当該色が用いられている範囲が（ｘ１、ｙ１）〜（ｘ２、ｙ２）のようの範囲を示す座標で記憶される。また、当該色が用いられる範囲（箇所）は、当該絵画風画像において１箇所とは限らないことから、（ｘ１、ｙ１）〜（ｘ２、ｙ２）、（ｘ３、ｙ３）〜（ｘ４、ｙ４）・・・のように、複数の範囲（箇所）が記憶される場合もある。
【００５５】
第５記憶部２２６には、前記撮影画像を変換処理した絵画風画像が記憶される。
【００５６】
なお、座標記憶部２２８の色の範囲を示す範囲座標は、当該色の全域内の全てのドットの座標、輪郭のみの座標、その他複数点の座標等、当該絵画風画像において当該色の範囲を特定できる複数の座標であれば、どのような座標であってもよい。
以上の構成に係る本実施の形態において、デジタルカメラ１はＣＰＵ１１がＲＯＭ２３に格納されているプログラムに従って処理を実行することにより、図４のフローチャートに示す第１の実施の形態における絵画風変換表示処理を実行する。
【００５７】
すなわち、ユーザーがこのデジタルカメラ１を携帯し、所望のシーンでシャッターキー８を押下すると、ＣＰＵ１１は、ＣＣＤ１０上に結像された被写体画像を取り込んで撮影画像とし、ＲＡＭ２２の絵画風変換データエリア２２１における第１記憶部２２２に記憶する（ステップＳ１０１）。次に、ＣＰＵ１１は、絵画風画像表示処理を実行する（ステップＳ１０２）。
【００５８】
（第１の実施の形態）
図５は、図４における絵画風画像表示処理の詳細を示すフローチャートである。
【００５９】
まず、撮影画像の一覧表示を行う（ステップＳ２０１）。このステップＳ２０１での処理により、図６（ａ）に示すように、「水彩画の描き方」及び「（１）「撮影画像」を選択してください」の文字とともに、ＲＡＭ２２に記憶されている「撮影画像Ａ〜Ｄ」Ｚ１〜Ｚ４及びカーソル４５を液晶モニタ４に表示させる。
【００６０】
そして、カーソルキー５の操作によりカーソル４５を撮影画像Ａ〜Ｄの中の何れかまで移動させた後、ＳＥＴキー６を操作することにより、これら撮影画像Ａ〜Ｄの中から何れかが選択されたならば、選択された撮影画像の表示処理を実行する（ステップＳ２０２）。このステップＳ２０２での処理により、図６（ｂ）に示すように、例えば選択された撮影画像Ｚ１を液晶モニタ４に表示させるとともに、「水彩画の描き方」及び「（２）この「撮影画像」で良いですか？」の文字を液晶モニタ４に表示させる。
【００６１】
次に、決定スイッチ（ＳＥＴキー６）がオン操作されたか否かを判断する（ステップＳ２０３）。決定スイッチがオン操作されたならば、その時点で液晶モニタ４に表示されていた撮影画像を今回の絵画風画像に変換する画像として決定し、ステップＳ２０４からの処理により絵画風画像への変換処理を開始する。
【００６２】
まず、当該撮影画像Ｚ１の輪郭を抽出する（ステップＳ２０４）。この被写体別の輪郭抽出に際しては、撮影画像Ｚ１の画像データの輝度信号及び色差信号から、近い輝度又は色差信号別に、同系色の色相別等に領域を分割し、さらに、領域の境界線となる輪郭線Ｌ（図７（ａ）参照）を抽出し、この輪郭線Ｌで囲まれた部分を一つの抽出領域として検出する。
【００６３】
さらに、この抽出した被写体別の画像を被写体画像として、絵画風変換データエリア２２１における第２記憶部２２３の被写体画像記憶部２２７に記憶するとともに、各被写体画像の撮影画像Ｚ１内における位置座標を第２記憶部２２３の座標記憶部２２８に記憶する（ステップＳ２０５）。これにより、図３に示すように、絵画風変換データエリア２２１における第２記憶部２２３の被写体画像記憶部２２７には、被写体「Ａ」、被写体「Ｂ」、被写体「Ｃ」の被写体画像が記憶され、座標記憶部２２８には、「Ａ」の位置座標（ｘ２１，ｙ２１）・・・、「Ｂ」の位置座標（ｘ２２，ｙ２２）・・・、「Ｃ」の位置座標（ｘ２３，ｙ２３）・・・が記憶される。
【００６４】
次に、ＣＰＵ１１は、鉛筆風画線による下描画像処理を実行する（ステップＳ２０６）。これにより、図７（ａ）に示すように、前記撮影画像Ｚ１の輪郭を鉛筆風画線Ｌで描画した下描き画像である下図Ｚ２を液晶モニタ４に表示させるとともに、「水彩画の描き方」及び「（３）鉛筆で「下描き」します」の文字を液晶モニタ４に表示させる。
【００６５】
引き続き、ＣＰＵ１１は、色付け前の色アイコンの表示処理を実行する（ステップＳ２０７）。このステップＳ２０７での処理においては、撮影画像Ｚ１の色を分析し、画像を構成している複数の色アイコンを液晶モニタ４に表示させる。したがって、例えば図７（ｂ）に示すように、液晶モニタ４には、下図Ｚ２とともに、「赤色」「青色」「黄色」「茶色」４色の色アイコン４１〜４４が表示される。また、このときカーソル４５も表示させるとともに、「水彩画の描き方」及び「（４）色づけしたい色を選択してください（全部で４色の中から）」の文字を液晶モニタ４に表示させる。
【００６６】
なお、本実施の形態においては、撮影画像Ｚ１の色を分析し、画像を構成している複数の色アイコンを液晶モニタ４に表示させるようにした。しかし、この時点で撮影画像から絵画風画像への変換を完了させて、絵画風画像の色を分析し、画像を構成している複数の色アイコンを液晶モニタ４に表示させるようにしてもよい。
【００６７】
次に、ＣＰＵ１１は、前記カーソル４５により、色アイコン４１〜４４のいずれかが選択されたか否かを判断する（ステップＳ２０８）。色アイコン４１〜４４のいずれかが選択されたと判断されたならば、色付け表示（１）処理を実行する（ステップＳ２０９）。このステップＳ２０９での処理により、図８（ａ）に示すように、カーソル４５により例えば「青色」アイコン４２が選択されたとすると、撮影画像Ｚ１から後述する絵画風画像Ｚ３に変換する際に、選択された色アイコンの色（青色）が使われている領域のみを選択された色（青色）で着色して液晶モニタ４に表示する。また、「水彩画の描き方」及び「（５）選択した色の「青色」をつけています」の文字を液晶モニタ４に表示する。
【００６８】
また、ＣＰＵ１１は、色付け表示（２）処理を実行する（ステップＳ２１０）。このステップＳ２１０での処理により、図８（ｂ）に示すように、既に選択済みとなった色アイコン（本例の場合、「青色」アイコン４２）を消去し、未だ選択されていない「赤色」アイコン４１、「黄色」アイコン４３、「茶色」アイコン４４のみを表示させる。
【００６９】
したがって、ユーザが重複して同一色の色アイコンを選択する誤操作の発生を未然に防止することができる。
【００７０】
また、このとき「水彩画の描き方」及び「（６）別な色付したい色を選択してください（残る３色の中から）」の文字を液晶モニタ４に表示する。これよっても、ユーザが重複して同一色の色アイコンを選択する誤操作の発生を未然に防止することができる。
【００７１】
この状態で、カーソル４５により、例えば「茶色」アイコン４４が選択されたとと判断されたとすると、ＣＰＵ１１は、ステップＳ２１０からステップＳ２１１に処理を進めて、色付け表示（３）処理を実行する。このステップＳ２１１での処理により、図９（ａ）に示すように、撮影画像Ｚ１から後述する絵画風画像Ｚ３に変換する際に、選択された色アイコンの色（茶色）が使われている領域のみを選択された色（茶色）で付加着色（今回の選択色を加えて着色）して液晶モニタ４に表示する。また、「水彩画の描き方」及び「（７）選択した色の「茶色」をつけています」の文字を液晶モニタ４に表示する。
【００７２】
引き続き、ＣＰＵ１１は、全アイコンの選択が完了したか否かを判断する（ステップＳ２１２）。そして、全アイコンの選択が完了するまで、ステップＳ２１１の処理を繰り返す。したがって、カーソル４５により、例えば「赤色」アイコン４２が選択されたと判断されると、ＣＰＵ１１は、ステップＳ２１１の処理で、撮影画像Ｚ１から後述する絵画風画像Ｚ３に変換する際に、選択された色アイコンの色（赤色）が使われている領域のみを選択された色（赤色）で付加着色して液晶モニタ４に表示する。
【００７３】
また、カーソル４５により、例えば「黄色」アイコン４３が選択されたとすると、ＣＰＵ１１は、ステップＳ２１１の処理で、撮影画像Ｚ１から後述する絵画風画像Ｚ３に変換する際に、選択された色アイコンの色（黄色）が使われている領域のみを選択された色（黄色）で付加着色して液晶モニタ４に表示する。
【００７４】
なお、ステップＳ２０９〜ステップＳ２２２での色付け表示により、当該色が使われている領域のみを選択された色で着色する際には、撮影画像Ｚ１から絵画風画像Ｚ３に変換する際に、第４記憶部２２５の色記憶部２２９に絵画風画像Ｚ３に用いられている色「赤」、「青」、「黄」・・・を記憶する。また、範囲記憶部２３０は、絵画風画像Ｚ３中において、当該色が用いられている範囲を示す座標で記憶する。そして、この範囲記憶部２３０に記憶された範囲を、対応する色記憶部２２９に記憶された色で着色し、液晶モニタ４に表示する。
【００７５】
このようにして、全アイコンの選択が完了したならば、アイコン表示しなかった他の色を含めて撮影画像Ｚ１を絵画風画像に変換し、液晶モニタ４に表示する（ステップＳ２１３）。このステップＳ２１３での処理により、図９（ｂ）に示すように、全ての必要な着色が施された絵画風画像Ｚ３が液晶モニタ４に表示される。また、「水彩画の描き方」及び「（８）色付け完了です。絵画風画像が完成しました」の文字を液晶モニタ４に表示する。
【００７６】
したがって、以上の処理により、実写された撮影画像Ｚ１に基づいて当該撮影画像Ｚ１から絵画風画像Ｚ３が作成されるまでの手順を、色アイコン４１〜４４を表示しながら教授してくれる。よって、絵画を描く手順を実写された撮影画像Ｚ１と当該撮影画像Ｚ１に基づいて作成された絵画風画像Ｚ３とを用いて、両者を対比しながら学習することができる。
【００７７】
しかも、本実施の形態においては、ユーザのアイコン選択操作毎に、順次色付け表示を行うことから、ユーザの学習能力に応じて適切に描く手順を教授することができる。
【００７８】
しかる後に、この表示させた絵画風画像をＲＡＭ２２の第５記憶部２２６に記憶する（ステップＳ２１４）。これにより、絵画風画像Ｚ３を、第５記憶部２２６から読み出して、液晶モニタ４に表示させ観賞することもできる。
【００７９】
なお、本実施の形態においては、ステップＳ２０４において、撮影画像の輪郭を抽出するようにしたが、ステップＳ２０３の判断がＹＥＳとなった直後に絵画風画像への変換処理を実行し、得られた絵画風画像の輪郭を抽出するようにしてもよい。
【００８０】
（第２の実施の形態）
図１０は、本発明の第２の実施の形態における絵画風画像表示処理の詳細を示すフローチャートである。本実施の形態は、前述した第１の実施の形態とは異なり、ユーザによるアイコン選択操作に依存することなく、自動的に順次色付け表示を行うようにしたものである。
【００８１】
まず、撮影画像の一覧表示を行う（ステップＳ３０１）。このステップＳ３０１での処理により、図６（ａ）に示すように、「水彩画の描き方」及び「（１）「撮影画像」を選択してください」の文字とともに、ＲＡＭ２２に記憶されている撮影画像Ａ〜Ｄを液晶モニタ４に表示させる。
【００８２】
そして、これら撮影画像Ａ〜Ｄから何れかが選択されたならば、選択された撮影画像の表示処理を実行する（ステップＳ３０２）。このステップＳ３０２での処理により、図６（ｂ）に示すように、例えば選択された撮影画像Ｚ１を液晶モニタ４に表示させるとともに、「水彩画の描き方」及び「（２）この「撮影画像」で良いですか？」の文字を液晶モニタ４に表示させる。
【００８３】
次に、決定スイッチであるＳＥＴキー６がオン操作されたか否かを判断する（ステップＳ３０３）。ＳＥＴキー６がオン操作されたならば、その時点で液晶モニタ４に表示されていた撮影画像を今回の絵画風画像に変換する画像として決定し、当該撮影画像の輪郭を抽出する（ステップＳ３０４）。この被写体別の輪郭抽出に際しては、撮影画像Ｚ１の画像データの輝度信号及び色差信号から、近い輝度又は色差信号別に、同系色の色相別等に領域を分割し、さらに、領域の境界線となる輪郭線Ｌを抽出し、この輪郭線Ｌで囲まれた部分を一つの抽出領域として検出する。
【００８４】
さらに、この抽出した被写体別の画像を被写体画像として、絵画風変換データエリア２２１における第２記憶部２２３の被写体画像記憶部２２７に記憶するとともに、各被写体画像の撮影画像Ｚ１内における位置座標を第２記憶部２２３の座標記憶部２２８に記憶する（ステップＳ３０５）。これにより、図３に示すように、絵画風変換データエリア２２１における第２記憶部２２３の被写体画像記憶部２２７には、被写体「Ａ」、被写体「Ｂ」、被写体「Ｃ」の被写体画像が記憶され、座標記憶部２２８には、「Ａ」の位置座標（ｘ２１，ｙ２１）・・・、「Ｂ」の位置座標（ｘ２２，ｙ２２）・・・、「Ｃ」の位置座標（ｘ２３，ｙ２３）・・・が記憶される。
【００８５】
次に、ＣＰＵ１１は、鉛筆風画線による下描画像処理を実行する（ステップＳ３０６）。これにより、図７（ａ）に示すように、前記撮影画像Ｚ１の輪郭を鉛筆風画線Ｌで描画した下描きである下図Ｚ２を液晶モニタ４に表示させるとともに、「水彩画の描き方」及び「（３）鉛筆で「下描き」します」の文字を液晶モニタ４に表示させる。
【００８６】
引き続き、ＣＰＵ１１は、色付け表示（１）処理を実行する（ステップＳ３０７）。このステップＳ３０７での処理により、撮影画像Ｚ１から後述する絵画風画像Ｚ３に変換する際に、例えば青色が使われている領域のみを青色で着色して液晶モニタ４に表示する。また、ＣＰＵ１１は、色付け表示（２）処理を実行する（ステップＳ３０８）。このステップＳ３０８での処理により、撮影画像Ｚ１から後述する絵画風画像Ｚ３に変換する際に、例えば茶色が使われている領域のみを茶色で着色付加して液晶モニタ４に表示する。
【００８７】
さらに、ＣＰＵ１１は、色付け表示（３）処理を実行する（ステップＳ３０９）。このステップＳ３０９での処理により、撮影画像Ｚ１から後述する絵画風画像Ｚ３に変換する際に、例えば赤色が使われている領域のみを赤色で着色付加して液晶モニタ４に表示する。
【００８８】
引き続き、ＣＰＵ１１は、絵画風画像Ｚ３が有する全色の色付け表示が完了したか否かを判断する（ステップＳ３１０）。そして、全色の色付け表示が完了するまで、ステップＳ３０９の処理を繰り返す。したがって、経時的に色が付加されて液晶モニタ４上において着色された絵画風画像が徐々に表示されていく。
【００８９】
このようにして、全色の色付け表示が完了したならば、これにより完成された絵画風画像を液晶モニタ４に表示する（ステップＳ３１１）。このステップＳ３１３での処理により、図９（ｂ）に示すように、全ての必要な着色が施された絵画風画像Ｚ３が液晶モニタ４に表示される。また、「水彩画の描き方」及び「（８）色付け完了です」の文字を液晶モニタ４に表示する。
【００９０】
したがって、本実施の形態によれば、ユーザによるアイコン選択操作を伴うことなく、実写された撮影画像Ｚ１に基づいて当該撮影画像から絵画風画像Ｚ３を描く手順を、色アイコンを表示しながら教授してくれる。したがって、絵画を描く手順を実写された撮影画像Ｚ１と当該撮影画像Ｚ１に基づいて作成された絵画風画像Ｚ３とを用いて、両者を対比しながら受動的に学習することができる。
【００９１】
しかる後に、この表示させた絵画風画像をＲＡＭ２２の第５記憶部２２６に記憶する（ステップＳ３１２）。
【００９２】
（第３の実施の形態）
図１１は、本発明の第３の実施の形態における絵画風画像表示処理の詳細を示すフローチャートである。
【００９３】
まず、撮影画像の一覧表示を行う（ステップＳ４０１）。このステップＳ４０１での処理により、図６（ａ）に示すように、「水彩画の描き方」及び「（１）「撮影画像」を選択してください」の文字とともに、ＲＡＭ２２に記憶されている撮影画像Ａ〜Ｄを液晶モニタ４に表示させる。
【００９４】
そして、これら撮影画像Ａ〜Ｄから何れかが選択されたならば、選択された撮影画像の表示処理を実行する（ステップＳ４０２）。このステップＳ４０２での処理により、図６（ｂ）に示すように、例えば選択された撮影画像Ｚ１を液晶モニタ４に表示させるとともに、「水彩画の描き方」及び「（２）この「撮影画像」で良いですか？」の文字を液晶モニタ４に表示させる。
【００９５】
次に、決定スイッチであるＳＥＴキー６がオン操作されたか否かを判断する（ステップＳ４０３）。ＳＥＴキー６がオン操作されたならば、その時点で液晶モニタ４に表示されていた撮影画像を今回の絵画風画像に変換する画像として決定し、当該撮影画像の輪郭を抽出するとともに、当該撮影画像を変換した絵画風画像における筆タッチを分析する（ステップＳ４０４）。
【００９６】
この被写体別の輪郭抽出に際しては、撮影画像Ｚ１の画像データの輝度信号及び色差信号から、近い輝度又は色差信号別に、同系色の色相別等に領域を分割し、さらに、領域の境界線となる輪郭線Ｌを抽出し、この輪郭線Ｌで囲まれた部分を一つの抽出領域として検出する。
【００９７】
また、筆タッチの分析に際しては、撮影画像の構図等に基づき、これを絵画風画像に変換した際に、当該撮影画像に含まれている色のうち、特定の方向に色が連続しているか、点描的に色が分散配置されているかといった筆タッチを分析して、２種類の筆タッチを特定する。
【００９８】
さらに、この抽出した被写体別の画像を被写体画像として、絵画風変換データエリア２２１における第２記憶部２２３の被写体画像記憶部２２７に記憶するとともに、各被写体画像の撮影画像Ｚ１内における位置座標を第２記憶部２２３の座標記憶部２２８に記憶し、更に検出した２種類の筆タッチをＲＡＭ２２に記憶する（ステップＳ４０５）。
【００９９】
次に、ＣＰＵ１１は、鉛筆風画線による下描画像処理を実行する（ステップＳ４０６）。これにより、図１２（ａ）に示すように、前記撮影画像Ｚ１の輪郭を鉛筆風画線Ｌで描画した下描きである下図Ｚ２を液晶モニタ４に表示させるとともに、「水彩画の描き方」及び「（３）鉛筆で「下描き」します」の文字を液晶モニタ４に表示させる。
【０１００】
引き続き、ＣＰＵ１１は、色付け前の色アイコン・筆アイコンの表示処理を実行する（ステップＳ４０７）。このステップＳ４０７での処理においては、撮影画像Ｚ１の色を分析し、画像を構成している複数の色アイコンを液晶モニタ４に表示させるとともに、前記特定した２種類の筆タッチに対応する筆タッチアイコンを表示させる。
【０１０１】
したがって、例えば図１２（ｂ）に示すように、液晶モニタ４には、下図Ｚ２とともに、「赤色」「青色」「黄色」「茶色」４色の色アイコン４１〜４４、２個の筆アイコン「筆Ａ」「筆Ｂ」アイコン４６、４７が表示される。また、このときカーソル４５も表示させ、「水彩画の描き方」及び「（４）・色づけしたい色を選択してください（全部で４色の中から）・使う筆を選択してください（全部で２筆の中から）」の文字を液晶モニタ４に表示させる。
【０１０２】
次に、ＣＰＵ１１は、前記カーソル４５により、色アイコン４１〜４４のいずれか、及び筆アイコン４６、４７のいずれかが選択されたか否かを判断する（ステップＳ４０８）。色アイコン４１〜４４のいずれかと、筆アイコン４６、４７のいずれかが選択されたならば、色付け表示（１）処理を実行する（ステップＳ４０９）。このステップＳ４０９での処理により、図８（ａ）に示すように、カーソル４５により例えば「青色」アイコン４２が選択されたとすると、撮影画像Ｚ１から後述する絵画風画像Ｚ３に変換する際に、選択された色アイコンの色（青色）が使われている領域のみを選択された色（青色）で、かつ選択された筆タッチで着色して液晶モニタ４に表示する。また、「水彩画の描き方」及び「（５）選択した色の「青色」をつけています」の文字を液晶モニタ４に表示する。
【０１０３】
また、ＣＰＵ１１は、色付け表示（２）処理を実行する（ステップＳ４１０）。このステップＳ４１０での処理により、図８（ｂ）に示すように、既に選択済みとなった色アイコン（本例の場合、「青色」アイコン４２）、及び両筆アイコン４６、４７を消去し、未だ選択されていない「赤色」アイコン４１、「黄色」アイコン４３、「茶色」アイコン４４のみを表示させる。
【０１０４】
したがって、ユーザが重複して同一色の色アイコンを選択する誤操作の発生を未然に防止することができる。
【０１０５】
また、このとき「水彩画の描き方」及び「（６）別な色付したい色を選択してください（残る３色の中から）」の文字を液晶モニタ４に表示する。これよっても、ユーザが重複して同一色の色アイコンを選択する誤操作の発生を未然に防止することができる。
【０１０６】
この状態で、カーソル４５により、例えば「茶色」アイコン４４が選択されたとすると、ＣＰＵ１１は、ステップＳ４１０からステップＳ４１１に処理を進めて、色付け表示（３）処理を実行する。このステップＳ４１１での処理により、図９（ａ）に示すように、撮影画像Ｚ１から後述する絵画風画像Ｚ３に変換する際に、選択された色アイコンの色（茶色）が使われている領域のみを選択された色（茶色）で、かつ選択された筆タッチで付加着色（今回の選択色を加えて着色）して液晶モニタ４に表示する。また、「水彩画の描き方」及び「（７）選択した色の「茶色」をつけています」の文字を液晶モニタ４に表示する。
【０１０７】
引き続き、ＣＰＵ１１は、全アイコンの選択が完了したか否かを判断する（ステップＳ４１２）。そして、全アイコンの選択が完了するまで、ステップＳ４１１の処理を繰り返す。したがって、カーソル４５により、例えば「赤色」アイコン４２が選択されたとすると、ＣＰＵ１１は、ステップＳ４１１の処理で、撮影画像Ｚ１から後述する絵画風画像Ｚ３に変換する際に、選択された色アイコンの色（赤色）が使われている領域のみを選択された色（赤色）で、かつ選択された筆タッチで付加着色して液晶モニタ４に表示する。
【０１０８】
また、カーソル４５により、例えば「黄色」アイコン４３が選択されたとすると、ＣＰＵ１１は、ステップＳ４１１の処理で、撮影画像Ｚ１から後述する絵画風画像Ｚ３に変換する際に、選択された色アイコンの色（黄色）が使われている領域のみを選択された色（黄色）で、かつ選択された筆タッチで付加着色して液晶モニタ４に表示する。
【０１０９】
このようにして、全アイコンの選択が完了したならば、アイコン表示しなかった他の色を含めて、選択された筆タッチで撮影画像Ｚ１を絵画風画像に変換し、液晶モニタ４に表示する（ステップＳ４１３）。このステップＳ４１３での処理により、図９（ｂ）に示すように、全ての必要な着色が施された選択された筆タッチの絵画風画像Ｚ３が液晶モニタ４に表示される。また、「水彩画の描き方」及び「（８）色付け完了です」の文字を液晶モニタ４に表示する。
【０１１０】
したがって、以上の処理により、実写された撮影画像Ｚ１に基づいて当該撮影画像から絵画風画像Ｚ３を描く手順を色アイコンを表示しながら教授してくれる。したがって、絵画を描く手順を実写された撮影画像Ｚ１と当該撮影画像Ｚ１に基づいて作成された絵画風画像Ｚ３とを用いて、両者を対比しながら学習することができる。
【０１１１】
しかも、本実施の形態においては、ユーザが選択した筆タッチで色付け表示を行うことから、絵画風画像Ｚ３を描く手順のみならず、その筆タッチも教授することができる。
【０１１２】
しかる後に、この表示させた絵画風画像をＲＡＭ２２の第５記憶部２２６に記憶する（ステップＳ４１４）。これにより、選択した筆タッチの絵画風画像Ｚ３を、第５記憶部２２６から読み出して、液晶モニタ４に表示させ観賞することもできる。
【０１１３】
なお、本実施の形態においては、本発明をデジタルカメラに適用した場合を示したが、デジタルカメラに限らず、画像を表示可能な機器であれば携帯電話等の他の機器に適用するようにしてもよい。
【符号の説明】
【０１１４】
１    デジタルカメラ
４    液晶モニタ
８    シャッターキー
１０    ＣＣＤ
１１    ＣＰＵ
１２    撮像レンズ
１３    フォーカスレンズ
１５    駆動機構
１６    ＡＦドライバー
１７    駆動部
１８    ＴＧ
１９    Ｖドライバー
２０    ユニット回路
２１    操作キー部
２２    ＲＡＭ
２３    ＲＯＭ
２４    フラッシュメモリ
【図１】
2011198050.tif 000003
【図２】
2011198050.tif 000004
【図３】
2011198050.tif 000005
【図４】
2011198050.tif 000006
【図５】
2011198050.tif 000007
【図１０】
2011198050.tif 000008
【図１１】
2011198050.tif 000009
【図６】
2011198050.tif 000010
【図７】
2011198050.tif 000011
【図８】
2011198050.tif 000012
【図９】
2011198050.tif 000013
【図１２】
2011198050.tif 000014